(57)【要約】【課題】断面山型状の原稿載置台に載置された原稿を過大に押さえ付けて原稿が傷付くことを防止することができる画像形成装置を提供する。【解決手段】装置本体２の天面７に設けられた断面山型状の透明体からなる原稿載置台９と、原稿載置台９の稜線９ａを挟んで対向する二辺９ｂ，９ｃの近傍に配置されてヒンジ機構を介して天面７に回動に支持された原稿カバー１０，１１とを備え、原稿カバー１０，１１は原稿載置台９の稜線９ａに沿って見開き状態の中央が位置するように原稿載置台９に載置された書籍Ｂの背表紙が露出するように稜線９ａから二辺９ｂ，９ｃまでの距離よりも短くなっている。【選択図】      図３
2008026442.tif 000002
【特許請求の範囲】
【請求項１】
装置本体の天面に設けられた断面山型状の透明体からなる原稿載置台と、該原稿載置台の稜線を挟んで対向する二辺の近傍の前記天面にヒンジ機構を介して回動可能に支持された原稿カバーとを備え、該原稿カバーは前記稜線に沿って見開き状態で前記原稿載置台に載置された書籍の背表紙が露出するように前記稜線から前記二辺までの距離よりも短いことを特徴とする画像形成装置。
【請求項２】
装置本体の天面に設けられた断面山型状の透明体からなる原稿載置台と、該原稿載置台の稜線を挟んで対向する二辺のうちの一方の近傍の前記天面にヒンジ機構を介して回動可能に支持された原稿カバーとを備え、該原稿カバーには前記稜線に沿って見開き状態で前記原稿載置台に載置された書籍の背表紙が露出するように開口部が形成されていることを特徴とする画像形成装置。
【請求項３】
前記原稿カバーの前記ヒンジ機構付近に書籍の厚さに対する前記原稿カバーとの密着性を確保するための厚さ調整部が設けられていることを特徴とする請求項１又は請求項２に記載の画像形成装置。
【請求項４】
装置本体の天面に設けられた断面山型状の透明体からなる原稿載置台と、該原稿載置台の稜線を挟んで対向する二辺間を移動しつつ前記原稿載置台上に載置された書籍の画像を読み取るスキャナと、前記原稿載置台上に載置された書籍の大きさを検出する原稿サイズ検出センサーとを備え、前記スキャナは前記原稿サイズ検出センサーで検出した書籍の大きさに応じて前記二辺付近の非原稿載置範囲の移動速度を前記稜線付近の原稿載置範囲の移動速度よりも早くしたことを特徴とする画像形成装置。
【発明の詳細な説明】
【技術分野】
【０００１】
本発明は、画像形成装置、特に、見開き状態の書籍を載置するように断面山型状とされた透明体からなる原稿載置台を備えている画像形成装置に関する。
【背景技術】
【０００２】
従来から、見開き状態の書籍をフラットな原稿載置台上にセットした場合の書籍への傷みや中綴じ部分の浮きに起因する黒帯の発生を防止するため、断面山型状とされた原稿載置台を備えた画像形成装置が知られている（例えば、特許文献１参照。）。
【０００３】
また、この特許文献１に開示の画像形成装置は、断面山型状とされた原稿載置台の形状に沿って原稿載置台上に載置された書籍を被覆するように柔軟性を有する内面白色のゴム板からなる原稿カバーを備えている。
【０００４】
尚、上述した特許文献以外にも書籍等の中綴じされた原稿を断面山型状の原稿載置台に載置して複写等の画像形成のためにスキャニングする技術（例えば、特許文献２，３参照）はあるが、そのスキャニングする際に原稿を覆う原稿カバーに関する技術には何も触れられてはいない。
【０００５】
また、書籍等の中綴じされた原稿を断面山型状の原稿載置台に載置して複写等の中綴じ部分の黒帯の発生を除去（相殺）する技術（例えば、特許文献４，５参照）もあるが、これらにおいてもそのスキャニングする際に原稿を覆う原稿カバーに関する技術には何も触れられてはいない。
【特許文献１】特開平０５−０１９３７１号公報
【特許文献２】特開２００２−２２９１３２号公報
【特許文献３】特開２０００−２４２１３７号公報
【特許文献４】特開平１１−１０９７２７号公報
【特許文献５】特開２００５−１０９８０７号公報
【発明の開示】
【発明が解決しようとする課題】
【０００６】
ところが、上記の如く構成された画像形成装置にあっては、原稿カバーが書籍の全体を覆う構成であるため、書籍の稜線となる背表紙部分を集中して圧迫してしまうため、この背表紙部分の押さえ付けや見開き状態の書籍中綴じ部分を過大に押し広げてしまい、書籍を傷付けてしまうという問題が生じていた。
【０００７】
そこで、本発明は、上記事情を考慮し、断面山型状の原稿載置台に載置された原稿を過大に押さえ付けて原稿が傷付くことを防止することができる画像形成装置を提供することを目的とする。
【課題を解決するための手段】
【０００８】
本発明の画像形成装置は、装置本体の天面に設けられた断面山型状の透明体からなる原稿載置台と、該原稿載置台の稜線を挟んで対向する二辺の近傍の前記天面にヒンジ機構を介して回動可能に支持された原稿カバーとを備え、該原稿カバーは前記稜線に沿って見開き状態で前記原稿載置台に載置された書籍の背表紙が露出するように前記稜線から前記二辺までの距離よりも短いことを特徴とする。
【０００９】
また、本発明の画像形成装置は、装置本体の天面に設けられた断面山型状の透明体からなる原稿載置台と、該原稿載置台の稜線を挟んで対向する二辺のうちの一方の近傍の前記天面にヒンジ機構を介して回動可能に支持された原稿カバーとを備え、該原稿カバーには前記稜線に沿って見開き状態で前記原稿載置台に載置された書籍の背表紙が露出するように開口部が形成されていることを特徴とする。
【００１０】
本発明の画像形成装置によれば、断面山型状の原稿載置台に載置された書籍等にあっては、その背表紙部分は原稿カバーによって覆われることがないため、この原稿カバーによって背表紙部分が過大に押圧されることによる原稿への傷付きが防止される。
【００１１】
さらに、これらの画像形成装置では、前記原稿カバーの前記ヒンジ機構部付近に書籍の厚さに対する前記原稿カバーとの密着性を確保するための厚さ調整部が設けられていることが好ましい。
【００１２】
また、本発明の画像形成装置は、装置本体の天面に設けられた断面山型状の透明体からなる原稿載置台と、該原稿載置台の稜線を挟んで対向する二辺間を移動しつつ前記原稿載置台上に載置された書籍の画像を読み取るスキャナと、前記原稿載置台上に載置された書籍の大きさを検出する原稿サイズ検出センサーとを備え、前記スキャナは前記原稿サイズ検出センサーで検出した書籍の大きさに応じて前記二辺付近の非原稿載置範囲の移動速度を前記稜線付近の原稿載置範囲の移動速度よりも早くしたことを特徴とする。
【００１３】
本発明の画像形成装置によれば、原稿載置台上に載置された書籍の画像を読み取る際、断面山型形状の原稿載置台とこの原稿載置台に載置される書籍との大きさの差に起因すると共に書籍が原稿載置台の中央の稜線を基準にして載置されることに伴い、スキャナによる読み取りが不要である書籍そのものの存在の無い部分におけるスキャナの移動速度をスキャナによる読み取りが必要である書籍そのものの存在の有る部分におけるスキャナの移動速度よりも早くすることによって、スキャン時間の短縮化を実現することができる。
【発明の効果】
【００１４】
本発明の画像形成装置は、断面山型状の原稿載置台に載置された原稿を過大に押さえ付けて原稿が傷付くことを防止することができる。
【発明を実施するための最良の形態】
【００１５】
次に、本発明の一実施形態に係る画像形成装置について、図面を参照して説明する。
【００１６】
（実施の形態１）
図１乃至図４は本発明の一実施形態に係る画像形成装置の実施の形態１を示し、図１は本発明の一実施形態に係る画像形成装置の斜視図、図２は本発明の一実施形態に係るカバー使用状態前の画像形成装置の正面図、図３は本発明の一実施形態に係るカバー使用状態の画像形成装置の正面図、図４は本発明の一実施形態に係る画像形成装置の要部の説明図である。
【００１７】
図に示すように、本発明の一実施形態に係る画像形成装置１は、装置本体２と、この装置本体２の正面下部から引き出し可能な多段の給紙トレイユニット３，４と、装置本体２に設けられて排紙口５から排出された画像形成済みシートの排紙トレイ６と、装置本体２の天面７に設けられた操作パネル部８と、同じく天面７に設けられた断面山型形状の透明体からなる原稿載置台９と、原稿載置台９の両脇に隣接配置された一対の原稿カバー１０，１１とを備えている。
【００１８】
尚、装置本体２の内部には、給紙トレイユニット３，４から供給された搬送シートに対して原稿載置台９に載置された原稿としての書籍Ｂの読取画像等に基づいて画像データを生成・転写・定着させる画像形成部が設けられているが、ここではその説明は省略する。また、画像形成装置１は、上述した書籍Ｂの読取画像に基づく画像形成処理の他、例えば、図示を略するパーソナルコンピュータから出力された印刷データに基づく画像形成処理を行うプリンタ機能や電話回線等を通じて受信した画像データに基づく画像形成処理を行うファクシミリ機能等を具備した複合機とすることも可能である。
【００１９】
原稿載置台９は、透明ガラスやアクリル板等の無色透明なものから形成されており、その稜線９ａに沿って見開き状態で載置した書籍Ｂを原稿とした場合、その書籍Ｂの中綴じ部分を稜線９ａに合わせることでフラットな原稿載置台上にセットした時の過大な見開きによる書籍Ｂへの傷みや中綴じ部分の浮きに起因する黒帯の発生が防止されている。尚、原稿載置台９は、フラットな原稿載置台との交換を可能としても良い。また、枚葉式の原稿を載置してその原稿の読み取りを行うことも可能である。
【００２０】
原稿カバー１０，１１は、例えば、比較的厚肉（中空・中実は問わない）な樹脂製のカバーの内面側にクッション体や白色シート等を貼着したもの等が用いられている。また、その原稿カバー１０，１１は、例えば、立ち上げた状態（図２参照）での下端縁と天面７との間に蝶番等のヒンジ機構（図示せず）を介して原稿載置台９の稜線９ａを挟んで対向する二辺９ｂ，９ｃに近接して天面７に回動可能に支持されている。これにより、原稿カバー１０，１１は、原稿載置台９の二辺９ｂ，９ｃと平行な回動支点で回動し、その自由端が原稿載置台９の稜線９ａ付近に位置する。この際、原稿カバー１０，１１は、原稿載置台９の二辺９ｂ，９ｃと稜線９ａとの距離よりも短く設定されており、自由端部が稜線９ａに達しないようになっている。さらに、原稿カバー１０，１１には、その回動支点寄りに薄肉ヒンジ部１０ａ，１１ａが設けられており、上述した蝶番との協働によって書籍Ｂの厚さに対して原稿カバー１０，１１と密着するように構成されている。尚、この薄肉ヒンジ部１０ａ，１１ａは、図示例では一条の溝としているが、多条溝・蛇腹状（全体を含む）・上下伸縮（又はスライド）等の機構を採用しても良い。また、原稿カバー１０，１１は、それぞれが独立しているため、書籍Ｂの見開き位置の関係から厚さが左右で大幅に異なったとしても、書籍Ｂに対する左右の密着性を確保することができる。
【００２１】
上記の構成において、原稿載置台９に見開き状態で載置された書籍Ｂは、原稿載置台９の稜線９ａに書籍Ｂの見開き状態の中綴じ部分を沿わせるように載置することで原稿載置台９に対して位置決めされる。
【００２２】
この状態から、原稿カバー１０，１１を回動させて書籍Ｂを覆うことにより（図３参照）、書籍Ｂの押さえ付けや浮き防止効果を確保することができる。
【００２３】
この際、原稿カバー１０，１１を左右で独立させ且つ書籍Ｂの背表紙が露出することにより、その背表紙部分を過大に押さえ付けてしまったり、見開き状態の書籍の中綴じ部分を過大に押し広げてしまったりすることが無く、書籍Ｂを傷付けてしまうことを防止することができる。
【００２４】
そして、図４に示すように、書籍Ｂを原稿載置台９にセットした際の原稿サイズを検出する公知の原稿サイズ検知センサー（図示せず）から出力信号に基づいて図示を略する制御回路部で原稿サイズを求め、書籍Ｂが存在していない範囲のスキャナ１２の移動速度（太矢印参照）を書籍Ｂが存在している範囲のスキャナ１２の移動速度よりも早くすることによってスキャナ１２の処理時間を短縮することができる。尚、このスキャナ１２は原稿載置台９の形状に沿って移動しても良いし、水平方向に移動しても良い。
【００２５】
（実施の形態２）
図５乃至図８は本発明の一実施形態に係る画像形成装置の実施の形態２を示し、図５は本発明の一実施形態に係る画像形成装置の斜視図、図６は本発明の一実施形態に係るカバー使用状態前の画像形成装置の正面図、図７は本発明の一実施形態に係るカバー使用状態の画像形成装置の正面図、図８は本発明の一実施形態に係る画像形成装置の要部の説明図である。
【００２６】
尚、図５乃至図８において、上記実施の形態１と同一の構成には同一の符号を付してその説明を省略する。
【００２７】
図において、装置本体２の天面７には、一つの原稿カバー１３が回動可能に設けられている。
【００２８】
この原稿カバー１３は、例えば、比較的厚肉（中空・中実は問わない）な樹脂製のカバーの内面側にクッション体や白色シート等を貼着したもの等が用いられている。また、その原稿カバー１３は、例えば、立ち上げた状態（図６参照）での下端縁と天面７との間に蝶番等のヒンジ機構（図示せず）を介して原稿載置台９の稜線９ａを挟んで対向する二辺９ｂ，９ｃのうちの一方（例えば、辺９ｂ）に近接して天面７に回動可能に支持されている。これにより、原稿カバー１３は、原稿載置台９の辺９ｂと平行な回動支点で回動し、その自由端は原稿載置台９の対向する他の一辺９ｃの付近に位置する。また、原稿カバー１３には、その回動支点寄りと中央付近とに薄肉ヒンジ部１３ａ，１３ｂが設けられている。
【００２９】
この薄肉ヒンジ部１３ａは上述した蝶番との協働によって書籍Ｂの厚さに対して原稿カバー１３と密着するように構成されている。また、薄肉ヒンジ部１３ｂは原稿載置台９を覆った（書籍Ｂを覆った）時に原稿載置台９の稜線９ａと略同一の稜線９ａを形成して原稿カバー１３を折り曲げるためのものである。さらに、原稿カバー１３には、この薄肉ヒンジ部１３ｂを含む中央付近に開口部１３ｃが形成されている。
【００３０】
この開口部１３ｃは、書籍Ｂを原稿載置台９に載置して原稿カバー１３で覆った際、書籍Ｂの背表紙が露出するように設定されている。
【００３１】
尚、薄肉ヒンジ部１３ａ，１３ｂは、図示例では一条の溝としているが、多条溝・蛇腹状（全体を含む）・上下伸縮（又はスライド）等の機構を採用しても良い。また、原稿カバー１３は、それぞれが独立しているため、書籍Ｂの見開き位置の関係から厚さが左右で大幅に異なったとしても、書籍Ｂに対する左右の密着性が確保されている。
【００３２】
上記の構成において、原稿載置台９に見開き状態で載置された書籍Ｂは、原稿載置台９の稜線９ａに見開き状態の中綴じ部分を沿わせるように載置することで原稿載置台９に対して位置決めされる。
【００３３】
この状態から、原稿カバー１３を回動させて書籍Ｂを覆うことにより、書籍Ｂの押さえ付けや浮き防止効果を確保することができる。
【００３４】
この際、原稿カバー１３に改正された開口部１３ｃが書籍Ｂの背表紙を露出させていることにより、その背表紙部分を過大に押さえ付けてしまったり、見開き状態の書籍の中綴じ部分を過大に押し広げてしまったりすることが無く、書籍Ｂを傷付けてしまうことを防止することができる。
【００３５】
また、開口部１３ｃの稜線９ａと交差する一開口辺１３ｄに書籍Ｂを突き当てることにより、その位置決めとすることもできる。
【図面の簡単な説明】
【００３６】
【図１】本発明の一実施形態に係る画像形成装置の斜視図である。
【図２】本発明の一実施形態に係るカバー使用状態前の画像形成装置の正面図である。
【図３】本発明の一実施形態に係るカバー使用状態の画像形成装置の正面図である。
【図４】本発明の一実施形態に係る画像形成装置の要部の説明図である。
【図５】本発明の一実施形態に係る画像形成装置の斜視図である。
【図６】本発明の一実施形態に係るカバー使用状態前の画像形成装置の正面図である。
【図７】本発明の一実施形態に係るカバー使用状態の画像形成装置の正面図である。
【図８】本発明の一実施形態に係る画像形成装置の要部の説明図である。
【符号の説明】
【００３７】
２…装置本体
７…天面
９…原稿載置台
１０…原稿カバー
１１…原稿カバー
１３…原稿カバー
１３ｃ…開口部
【図１】
2008026442.tif 000003
【図２】
2008026442.tif 000004
【図３】
2008026442.tif 000005
【図４】
2008026442.tif 000006
【図５】
2008026442.tif 000007
【図６】
2008026442.tif 000008
【図７】
2008026442.tif 000009
【図８】
2008026442.tif 000010